(57)【特許請求の範囲】
【請求項１】
少なくとも１枚のレンズ素子で構成されたレンズ群を複数有するズームレンズ系であって、
物体側から像側へと順に、負のパワーを有する第１フォーカスレンズ群を含む前群と、正のパワーを有する第２フォーカスレンズ群を含む後群とを備え、
広角端から望遠端への変倍時に前記第１フォーカスレンズ群及び前記第２フォーカスレンズ群が光軸に沿って移動し、
前記第１フォーカスレンズ群は、広角端から望遠端への変倍時に、像側に凸に変化して移動し、
無限遠合焦状態から近接物体合焦状態へのフォーカシングの際に、前記第１フォーカスレンズ群と前記第２フォーカスレンズ群が移動してフォーカシングを行い、以下の条件式(１)及び（２）を満足するズームレンズ系。
−２０＜β１ｔ/β１ｗ×β２ｔ/β２ｗ＜２０・・・（１）
０．２５＜|ｆ１/ｆ２|＜１．３０・・・（２）
ここで、
β１ｔ：第１フォーカスレンズ群の望遠端での横倍率
β１ｗ：第１フォーカスレンズ群の広角端での横倍率
β２ｔ：第２フォーカスレンズ群の望遠端での横倍率
β２ｗ：第２フォーカスレンズ群の広角端での横倍率
ｆ１：第１フォーカスレンズ群の焦点距離
ｆ２：第２フォーカスレンズ群の焦点距離
【請求項２】
開口絞りをさらに備え、
前記開口絞りより像側に前記第１フォーカスレンズ群と前記第２フォーカスレンズ群が配置される、
請求項１に記載のズームレンズ系。
【請求項３】
無限遠合焦状態から近接物体合焦状態へのフォーカシングの際に、前記第１フォーカスレンズ群は像側へ、前記第２フォーカスレンズ群は物体側へ光軸に沿って移動する、
請求項１または２に記載のズームレンズ系。
【請求項４】
前記第２フォーカスレンズ群は、広角端から望遠端への変倍時に、像側に隣接する群に対して、近づいて移動する、
請求項１から３のいずれかに記載のズームレンズ系。
【請求項５】
前記第２フォーカスレンズ群を構成するレンズ素子のうち、条件式（３）を満足するレンズ素子を有する、
請求項１から４のいずれかに記載のズームレンズ系。
νｐ２＜３０・・・（３）
ここで、
νｐ２：第２フォーカスレンズ群を構成するレンズ素子のうち最も強い正パワーを有するレンズ素子のアッベ数
【請求項６】
前記第２フォーカスレンズ群は、正のパワーを有するレンズ素子１枚で構成する、
請求項１から５のいずれかに記載のズームレンズ系。
【請求項７】
前記第１フォーカスレンズ群は、正のパワーを有する単レンズ素子と負のパワーを有する単レンズ素子を有し、条件式（４）を満足する、
請求項１から６のいずれかに記載のズームレンズ系。
νｐ１＜３０・・・（４）
ここで、
νｐ１：第１フォーカスレンズ群を構成するレンズ素子のうち最も強い正パワーを有するレンズ素子のアッベ数
【請求項８】
前記第１フォーカスレンズ群は、物体側から像側へと順に、正のパワーを有する単レンズ素子と負のパワーを有する単レンズ素子の接合レンズで構成される、
請求項１から７のいずれかに記載のズームレンズ系。
【請求項９】
条件式（５）を満足する、請求項１から８のいずれかに記載のズームレンズ系。
ｍｆ２ｗ/ｍｆ１ｗ＞ｍｆ２ｔ/ｍｆ１ｔ・・・（５）
ここで、
ｍｆ２ｗ：広角端において、無限遠合焦状態から任意の距離の物体にフォーカシングした際の第２フォーカスレンズ群の移動量
ｍｆ１ｗ：広角端において、無限遠合焦状態から任意の距離の物体にフォーカシングした際の第１フォーカスレンズ群の移動量
ｍｆ２ｔ：望遠端において、無限遠合焦状態から任意の距離の物体にフォーカシングした際の第２フォーカスレンズ群の移動量
ｍｆ１ｔ：望遠端において、無限遠合焦状態から任意の距離の物体にフォーカシングした際の第１フォーカスレンズ群の移動量
【請求項１０】
前記前群は最も物体側に位置する第１レンズ群を備え、
前記第１レンズ群は、正のパワーを有する、
請求項１から９のいずれかに記載のズームレンズ系。
【請求項１１】
前記第１レンズ群は、広角端から望遠端へ変倍する際に、像面に対して固定されている、
請求項１０に記載のズームレンズ系。
【請求項１２】
前記第１レンズ群と、前記開口絞りの間には、広角端から望遠端に変倍する際に、光軸に沿って移動するレンズ群を２つ有する、
請求項１０または請求項１１のいずれかに記載のズームレンズ系。
【請求項１３】
前記前群は、前記第１フォーカスレンズ群の物体側に、物体側から像側へと順に、正パワーの第１レンズ群、負パワーの第２レンズ群、正パワーの第３レンズ群を有する、
請求項１から１２のいずれかに記載のズームレンズ系。
【請求項１４】
前記第３レンズ群は、正パワーの単レンズ素子で構成される、
請求項１３に記載のズームレンズ系。
【請求項１５】
前記第１フォーカスレンズ群のすぐ物体側のレンズ群は、物体側から像側へと順に、正のパワーを有する第１サブレンズ群と、開口絞り、負のパワーを有する第２サブレンズ群と、光軸に垂直な方向に移動させて像ぶれ補正を行う正のパワーを有する第３サブレンズ群、及び第４サブレンズ群を有する、
請求項１３または１４に記載のズームレンズ系。
【請求項１６】
前記第３サブレンズ群と前記第４サブレンズ群の間に広角端から望遠端への変倍時に径が変化する可変光線絞りを有する、請求項１５に記載のズームレンズ系。
【請求項１７】
前記第３サブレンズ群は、物体側から像側へと順に負のパワーを有するレンズ素子と正のパワーを有するレンズ素子の接合レンズと、正の単レンズ素子より構成される、
請求項１５に記載のズームレンズ系。
【請求項１８】
請求項１から１７のいずれかに記載のズームレンズ系と、前記ズームレンズ系が形成する光学像を受光して電気的な画像信号に変換する撮像素子を含むカメラ本体との接続が可能なレンズマウントとを備える、交換レンズ装置。
【請求項１９】
請求項１８に記載の交換レンズ装置と、該交換レンズ装置とカメラマウントを介して着脱可能に接続され、前記ズームレンズ系が形成する光学像を受光して電気的な画像信号に変換する撮像素子を含むカメラ本体とを備える、カメラシステム。
【発明の詳細な説明】
【技術分野】
【０００１】
本開示は、ズームレンズ系、交換レンズ装置及びカメラシステムに関する。
【背景技術】
【０００２】
特許文献１は、正負正＋後群から構成され、後群中の負と正のパワーを有する２つのフォーカシング群でフォーカスするズームレンズ系を開示する。
【０００３】
特許文献２は、正負＋後群から構成され、後群中の負と正のパワーを有する２つのフォーカシング群でフォーカスするズームレンズ系を開示する。
【０００４】
特許文献３は、正負＋後群から構成され、後群はフォーカシング群を有するズームレンズ系を開示する。
【先行技術文献】
【特許文献】
【０００５】
【特許文献１】特開２０１３−１０５１３１号公報
【特許文献２】特開２０１４−１５７２２５号公報
【特許文献３】特開２０１４−１８６３０６号公報
【発明の概要】
【発明が解決しようとする課題】
【０００６】
光学性能を維持しつつ、小型なズームレンズ系、ズームレンズ系を含む交換レンズ装置及びカメラシステムを提供することを目的とする。
【課題を解決するための手段】
【０００７】
本開示のズームレンズ系は、少なくとも１枚のレンズ素子で構成されたレンズ群を複数有するズームレンズ系であって、物体側から像面側へと順に、負のパワーを有する第１フォーカスレンズ群と、正のパワーを有する第２フォーカスレンズ群とを有し、広角端から望遠端への変倍時に第１フォーカスレンズ群及び第２フォーカスレンズ群が光軸に沿って移動し、第１フォーカスレンズ群は、広角端から望遠端への変倍時に、像側に凸に変化して移動し、無限遠合焦状態から近接物体合焦状態へのフォーカシングの際に、第１フォーカスレンズ群と第２フォーカスレンズ群が移動してフォーカシングを行い、以下の条件式(１)及び（２）を満足する。
【０００８】
−２０＜β１ｔ/β１ｗ×β２ｔ/β２ｗ＜２０・・・（１）
０．２５＜|ｆ１/ｆ２|＜１．３０・・・（２）
ここで、
β１ｔ：第１フォーカスレンズ群の望遠端での横倍率
β１ｗ：第１フォーカスレンズ群の広角端での横倍率
β２ｔ：第２フォーカスレンズ群の望遠端での横倍率
β２ｗ：第２フォーカスレンズ群の広角端での横倍率
ｆ１  ：第１フォーカスレンズ群の焦点距離
ｆ２  ：第２フォーカスレンズ群の焦点距離
である。
【０００９】
本開示の交換レンズ装置は、少なくとも１枚のレンズ素子で構成されたレンズ群を複数有するズームレンズ系であって、物体側から像面側へと順に負のパワーを有する第１フォーカスレンズ群と、正のパワーを有する第２フォーカスレンズ群と、を備え、広角端から望遠端への変倍時に第１フォーカスレンズ群及び第２フォーカスレンズ群が光軸に沿って移動し、第１フォーカスレンズ群は、広角端から望遠端への変倍時に、像側に凸に変化して移動し、無限遠合焦状態から近接物体合焦状態へのフォーカシングの際に、第１フォーカスレンズ群と第２フォーカスレンズ群が移動してフォーカシングを行い、以下の条件式(１)及び（２）を満足するズームレンズ系と、該ズームレンズ系が形成する光学像を受光して電気的な画像信号に変換する撮像素子を含むカメラ本体との接続が可能なレンズマウントと、を備える。
【００１０】
−２０＜β１ｔ/β１ｗ×β２ｔ/β２ｗ＜２０・・・（１）
０．２５＜|ｆ１/ｆ２|＜１．３０・・・（２）
本開示のカメラシステムは、少なくとも１枚のレンズ素子で構成されたレンズ群を複数有するズームレンズ系であって、物体側から像面側へと順に負のパワーを有する第１フォーカスレンズ群と、正のパワーを有する第２フォーカスレンズ群と、を備え、広角端から望遠端への変倍時に第１フォーカスレンズ群及び第２フォーカスレンズ群が光軸に沿って移動し、第１フォーカスレンズ群は、広角端から望遠端への変倍時に、像側に凸に変化して移動し、無限遠合焦状態から近接物体合焦状態へのフォーカシングの際に、第１フォーカスレンズ群と第２フォーカスレンズ群が移動してフォーカシングを行い、以下の条件式(１)及び（２）を満足するズームレンズ系を含む交換レンズ装置と、該交換レンズ装置とカメラマウントを介して着脱可能に接続され、ズームレンズ系が形成する光学像を受光して電気的な画像信号に変換する撮像素子を含むカメラ本体と、を備える。
【００１１】
−２０＜β１ｔ/β１ｗ×β２ｔ/β２ｗ＜２０・・・（１）
０．２５＜|ｆ１/ｆ２|＜１．３０・・・（２）
【発明の効果】
【００１２】
本開示は、光学性能を維持しつつ、小型なズームレンズ系、該ズームレンズ系を含む交換レンズ装置及びカメラシステムを実現することができる。
【図面の簡単な説明】
【００１３】
【図１Ａ】実施の形態１（数値実施例１）に係るズームレンズ系の無限遠合焦状態を示すレンズ配置図
【図１Ｂ】図１Ａにおいて、Ｂの状態の場合のレンズ配置図
【図１Ｃ】図１Ａにおいて、Ｃの状態の場合のレンズ配置図
【図２】数値実施例１に係るズームレンズ系の無限遠合焦状態の縦収差図
【図３】数値実施例１に係るズームレンズ系の近接物体合焦状態の縦収差図
【図４】数値実施例１に係るズームレンズ系の望遠端における、像ぶれ補正を行っていない基本状態及び像ぶれ補正状態での横収差図
【図５Ａ】実施の形態２（数値実施例２）に係るズームレンズ系の無限遠合焦状態を示すレンズ配置図
【図５Ｂ】図５Ａにおいて、Ｂの状態の場合のレンズ配置図
【図５Ｃ】図５Ａにおいて、Ｃの状態の場合のレンズ配置図
【図６】数値実施例２に係るズームレンズ系の無限遠合焦状態の縦収差図
【図７】数値実施例２に係るズームレンズ系の近接物体合焦状態の縦収差図
【図８】数値実施例２に係るズームレンズ系の望遠端における、像ぶれ補正を行っていない基本状態及び像ぶれ補正状態での横収差図
【図９Ａ】実施の形態３（数値実施例３）に係るズームレンズ系の無限遠合焦状態を示すレンズ配置図
【図９Ｂ】図９Ａにおいて、Ｂの状態の場合のレンズ配置図
【図９Ｃ】図９Ａにおいて、Ｃの状態の場合のレンズ配置図
【図１０】数値実施例３に係るズームレンズ系の無限遠合焦状態の縦収差図
【図１１】数値実施例３に係るズームレンズ系の近接物体合焦状態の縦収差図
【図１２】数値実施例３に係るズームレンズ系の望遠端における、像ぶれ補正を行っていない基本状態及び像ぶれ補正状態での横収差図
【図１３Ａ】実施の形態４（数値実施例４）に係るズームレンズ系の無限遠合焦状態を示すレンズ配置図
【図１３Ｂ】図１３Ａにおいて、Ｂの状態の場合のレンズ配置図
【図１３Ｃ】図１３Ａにおいて、Ｃの状態の場合のレンズ配置図
【図１４】数値実施例４に係るズームレンズ系の無限遠合焦状態の縦収差図
【図１５】数値実施例４に係るズームレンズ系の近接物体合焦状態の縦収差図
【図１６】数値実施例４に係るズームレンズ系の望遠端における、像ぶれ補正を行っていない基本状態及び像ぶれ補正状態での横収差図
【図１７Ａ】実施の形態５（数値実施例５）に係るズームレンズ系の無限遠合焦状態を示すレンズ配置図
【図１７Ｂ】図１７Ａにおいて、Ｂの状態の場合のレンズ配置図
【図１７Ｃ】図１７Ａにおいて、Ｃの状態の場合のレンズ配置図
【図１８】数値実施例５に係るズームレンズ系の無限遠合焦状態の縦収差図
【図１９】数値実施例５に係るズームレンズ系の近接物体合焦状態の縦収差図
【図２０Ａ】実施の形態６（数値実施例６）に係るズームレンズ系の無限遠合焦状態を示すレンズ配置図
【図２０Ｂ】図２０Ａにおいて、Ｂの状態の場合のレンズ配置図
【図２０Ｃ】図２０Ａにおいて、Ｃの状態の場合のレンズ配置図
【図２１】数値実施例６に係るズームレンズ系の無限遠合焦状態の縦収差図
【図２２】数値実施例６に係るズームレンズ系の近接物体合焦状態の縦収差図
【図２３Ａ】実施の形態７（数値実施例７）に係るズームレンズ系の無限遠合焦状態を示すレンズ配置図
【図２３Ｂ】図２３Ａにおいて、Ｂの状態の場合のレンズ配置図
【図２３Ｃ】図２３Ａにおいて、Ｃの状態の場合のレンズ配置図
【図２４】実施の形態７に係るズームレンズ系の無限遠合焦状態の縦収差図
【図２５】実施の形態７に係るズームレンズ系の近接物体合焦状態の縦収差図
【図２６】実施の形態７に係るズームレンズ系の望遠端における、像ぶれ補正を行っていない基本状態及び像ぶれ補正状態での横収差図
【図２７】実施の形態８に係るレンズ交換式デジタルカメラシステムの概略構成図
【発明を実施するための形態】
【００１４】
（実施の形態１〜７）
［１．構成］
図１Ａ〜図１Ｃ、図５Ａ〜図５Ｃ、図９Ａ〜図９Ｃ、図１３Ａ〜図１３Ｃ、図１７Ａ〜図１７Ｃ、図２０Ａ〜図２０Ｃ、及び図２３Ａ〜図２３Ｃは、各々、実施の形態１〜７に係るズームレンズ系の無限遠合焦状態を示すレンズ配置図である。各レンズ配置図において、図１Ａ、図５Ａ、図９Ａ、図１３Ａ、図１７Ａ、図２０Ａ、及び図２３Ａは、広角端のレンズ配置図である。図１Ｂ、図５Ｂ、図９Ｂ、図１３Ｂ、図１７Ｂ、図２０Ｂ、及び図２３Ｂは、中間位置のレンズ配置図である。図１Ｃ、図５Ｃ、図９Ｃ、図１３Ｃ、図１７Ｃ、図２０Ｃ、及び図２３Ｃは、望遠端のレンズ配置図である。
【００１５】
なお、広角端とは、最短焦点距離状態を指す。最短焦点距離状態における焦点距離はｆＷである。中間位置とは、中間焦点距離状態を指す。中間焦点距離状態における焦点距離ｆｍは、以下の数式［数１］で規定される。
【００１６】
【数１】
0006586636.tif 000002
【００１７】
望遠端とは、最長焦点距離状態を指す。最長焦点距離状態における焦点距離はｆＴである。また、図１Ａ、図５Ａ、図９Ａ、図１３Ａ、図１７Ａ、図２０Ａ、及び図２３Ａに示す各レンズ配置図において、図に記載された折れ線の矢印は、上から順に、広角端、中間位置、望遠端の各状態におけるレンズ群の位置を結んで得られる。広角端と中間位置との間、中間位置と望遠端との間は、単純に直線で接続されているだけであり、実際の各レンズ群の動きとは異なる。
【００１８】
さらに各図において、レンズ群に付された矢印は、無限遠合焦状態から近接物体合焦状態へのフォーカシングを表す。なお、図１Ａ、図５Ａ、図９Ａ、図１３Ａ、図１７Ａ、図２０Ａ、及び図２３Ａにおいて、各レンズ群に符号を記載し、便宜上、この各レンズ群の符号の下部にフォーカシングを表す矢印を付している。各ズーミング状態において、フォーカシングの際に各レンズ群が移動する方向は、実施の形態ごとに、後で具体的に説明する。
【００１９】
なお、図１３Ａ、図１７Ａ、図２０Ａにおいて、特定の面に付された丸印から線を引き出して付したアスタリスク（＊）は、その丸印を付した面が非球面であることを示している。また各図において、各レンズ群の符号に付された記号（＋）、記号（−）は、各レンズ群のパワーの符号に対応する。また各図において、最も右側に記載された直線は、像面Ｓの位置を表す。
【００２０】
＜実施の形態１＞
図１Ａ、図１Ｂ、図１Ｃに示すように、実施の形態１に係るズームレンズ系において、第１レンズ群Ｇ１は、物体側から像面側へと順に、物体側に凸面を向けた負メニスカス形状の第１レンズ素子Ｌ１と、両凸形状の第２レンズ素子Ｌ２と、両凸形状の第３レンズ素子Ｌ３と、からなる。
【００２１】
第２レンズ群Ｇ２は、物体側から像面側へと順に、両凸形状の第４レンズ素子Ｌ４と、物体側に凸面を向けた負メニスカス形状の第５レンズ素子Ｌ５と、物体側に凸面を向けた正メニスカス形状の第６レンズ素子Ｌ６と、物体側に凸面を向けた負メニスカス形状の第７レンズ素子Ｌ７と、両凹形状の第８レンズ素子Ｌ８と、物体側に凸面を向けた正メニスカス形状の第９レンズ素子Ｌ９と、からなる。これらのうち、第５レンズ素子Ｌ５と第６レンズ素子Ｌ６、第８レンズ素子Ｌ８と第９レンズ素子Ｌ９は、それぞれ接合されている。
【００２２】
第３レンズ群Ｇ３は、両凸形状の第１０レンズ素子Ｌ１０のみからなる。
【００２３】
第４レンズ群Ｇ４は、物体側から像面側へと順に、物体側に凸面を向けた正メニスカス形状の第１１レンズ素子Ｌ１１と、両凸形状の第１２レンズ素子Ｌ１２と、両凹形状の第１３レンズ素子Ｌ１３と、物体側に凸面を向けた負メニスカス形状の第１４レンズ素子Ｌ１４と、両凸形状の第１５レンズ素子Ｌ１５と、両凸形状の第１６レンズ素子Ｌ１６と、両凹形状の第１７レンズ素子Ｌ１７と、両凸形状の第１８レンズ素子Ｌ１８とからなる。これらのうち、第１２レンズ素子Ｌ１２と第１３レンズ素子Ｌ１３、第１４レンズ素子Ｌ１４と第１５レンズ素子Ｌ１５、第１７レンズ素子Ｌ１７と第１８レンズ素子Ｌ１８は、それぞれ接合されている。さらに、第１１レンズ素子Ｌ１１の像面側に開口絞りＡと、第１６レンズ素子Ｌ１６の像面側に可変光線絞りＶＡが設けられている。
【００２４】
第５レンズ群Ｇ５は、物体側面から像面側へと順に、像面側に凸面を向けた正メニスカス形状の第１９レンズ素子Ｌ１９と、両凹形状の第２０レンズ素子Ｌ２０と、からなる。このうち、第１９レンズ素子Ｌ１９と第２０レンズ素子は、接合されている。
【００２５】
第６レンズ群Ｇ６は、両凸形状の第２１レンズ素子Ｌ２１のみからなる。
【００２６】
第７レンズ群Ｇ７は、物体側面から像面側へと順に、両凹形状の第２２レンズ素子Ｌ２２と、物体側に凸面を向けた正の平凸形状の第２３レンズ素子Ｌ２３と、からなる。なお、第４レンズ群Ｇ４を構成するレンズ素子である第１４レンズ素子Ｌ１４、第１５レンズ素子Ｌ１５及び第１６レンズ素子Ｌ１６が、後述する、像のぶれを光学的に補正するために光軸に対して垂直方向に移動する像ぶれ補正レンズ群に相当する。
【００２７】
撮像時の広角端から望遠端へのズーミングの際に、第３レンズ群Ｇ３は、物体側へ単調に移動し、第２レンズ群Ｇ２及び第６レンズ群Ｇ６は、像面側に単調に移動し、第５レンズ群Ｇ５は像面側に凸の軌跡を描いて移動する。すなわち、ズーミングに際して、第１レンズ群Ｇ１と第２レンズ群Ｇ２との間隔と、第３レンズ群Ｇ３と第４レンズ群Ｇ４との間隔及び第５レンズ群Ｇ５と第６レンズ群Ｇ６との間隔が増加し、第２レンズ群Ｇ２と第３レンズ群Ｇ３との間隔及び第６レンズ群Ｇ６と第７レンズ群Ｇ７との間隔が減少し、第４レンズ群Ｇ４と第５レンズ群Ｇ５との間隔が変化するように、各レンズ群が光軸に沿ってそれぞれ移動する。
【００２８】
第４レンズ群Ｇ４は、物体側から像側へと順に、正のパワーを有する第１サブレンズ群Ｇ４Ａ（第１１レンズ素子Ｌ１１）と、負のパワーを有する第２サブレンズ群Ｇ４Ｂ（第１２レンズ素子Ｌ１２、第１３レンズ素子Ｌ１３）と、正のパワーを有する第３サブレンズ群Ｇ４Ｃ（第１４レンズ素子Ｌ１４、第１５レンズ素子Ｌ１５、第１６レンズ素子Ｌ１６）と、正のパワーを有する第４サブレンズ群Ｇ４Ｄ（第１７レンズ素子Ｌ１７、第１８レンズ素子Ｌ１８）とで構成される。第３サブレンズ群Ｇ４Ｃは、像のぶれを光学的に補正するために、光軸に対して垂直方向に移動する。さらに、第１サブレンズ群Ｇ４Ａと第２サブレンズ群Ｇ４Ｂとの間には開口絞りＡが配置される。また。第３サブレンズ群Ｇ４Ｃと第４サブレンズ群Ｇ４Ｄとの間には、広角端から望遠端への変倍時に径が変化する可変光線絞りＶＡが配置される。広角端から望遠端への変倍の際に、第１サブレンズ群Ｇ４Ａと第２サブレンズ群Ｇ４Ｂとの間隔、第２サブレンズ群Ｇ４Ｂと第３サブレンズ群Ｇ４Ｃとの間隔、第３サブレンズ群Ｇ４Ｃと第４サブレンズ群Ｇ４Ｄとの間隔は変化しない。無限遠合焦状態から近接物体合焦状態へのフォーカシングの際に、第５レンズ群Ｇ５は、いずれのズーミング状態でも光軸に沿って像面側へ移動し、第６レンズ群Ｇ６は、いずれのズーミング状態でも光軸に沿って物体側へ移動する。
【００２９】
＜実施の形態２＞
図５Ａ、図５Ｂ、図５Ｃに示すように、実施の形態２に係るズームレンズ系において、第１レンズ群Ｇ１は、物体側から像面側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３と、からなる。これらのうち、第１レンズ素子Ｌ１と第２レンズ素子Ｌ２は、接合されている。
【００３０】
第２レンズ群Ｇ２は、物体側から像面側へと順に、物体側に凸面を向けた負メニスカス形状の第４レンズ素子Ｌ４と、像面側に凸面を向けた正メニスカス形状の第５レンズ素子Ｌ５と、両凹形状の第６レンズ素子Ｌ６と、物体側に凸面を向けた正メニスカス形状の第７レンズ素子Ｌ７と、からなる。
【００３１】
第３レンズ群Ｇ３は、両凸形状の第８レンズ素子Ｌ８のみからなる。
【００３２】
第４レンズ群Ｇ４は、物体側から像面側へと順に、物体側に凸面を向けた正メニスカス形状の第９レンズ素子Ｌ９と、両凹形状の第１０レンズ素子Ｌ１０と、物体側に凸面を向けた負メニスカス形状の第１１レンズ素子Ｌ１１と、両凸形状の第１２レンズ素子Ｌ１２と、両凸形状の第１３レンズ素子Ｌ１３と、両凹形状の第１４レンズ素子Ｌ１４と、両凸形状の第１５レンズ素子Ｌ１５とからなる。これらのうち、第１１レンズ素子Ｌ１１と第１２レンズ素子Ｌ１２、第１４レンズ素子Ｌ１４と第１５レンズ素子Ｌ１５は、それぞれ接合されている。さらに、第９レンズ素子Ｌ９の像面側に開口絞りＡが設けられている。
【００３３】
第５レンズ群Ｇ５は、物体側面から像面側へと順に、両凸形状の第１６レンズ素子Ｌ１６と、両凹形状の第１７レンズ素子Ｌ１７と、からなる。このうち、第１６レンズ素子Ｌ１６と第１７レンズ素子は、接合されている。
【００３４】
第６レンズ群Ｇ６は、両凸形状の第１８レンズ素子Ｌ１８のみからなる。
【００３５】
第７レンズ群Ｇ７は、物体側面から像面側へと順に、両凹形状の第１９レンズ素子Ｌ１９と、両凸形状の第２０レンズ素子Ｌ２０と、からなる。
【００３６】
第４レンズ群Ｇ４を構成するレンズ素子である第１１レンズ素子Ｌ１１、第１２レンズ素子Ｌ１２及び第１３レンズ素子Ｌ１３が、後述する、像のぶれを光学的に補正するために光軸に対して垂直方向に移動する像ぶれ補正レンズ群に相当する。
【００３７】
撮像時の広角端から望遠端へのズーミングの際に、第３レンズ群Ｇ３は、物体側へ単調に移動し、第２レンズ群Ｇ２及び第６レンズ群Ｇ６は、像面側に単調に移動し、第５レンズ群Ｇ５は像面側に凸の軌跡を描いて移動する。すなわち、ズーミングに際して、第１レンズ群Ｇ１と第２レンズ群Ｇ２との間隔と、第３レンズ群Ｇ３と第４レンズ群Ｇ４との間隔及び第５レンズ群Ｇ５と第６レンズ群Ｇ６との間隔が増加し、第２レンズ群Ｇ２と第３レンズ群Ｇ３との間隔及び第６レンズ群Ｇ６と第７レンズ群Ｇ７との間隔が減少し、第４レンズ群Ｇ４と第５レンズ群Ｇ５との間隔が変化するように、各レンズ群が光軸に沿ってそれぞれ移動する。
【００３８】
第４レンズ群Ｇ４は、物体側から像側へと順に、正のパワーを有する第１サブレンズ群Ｇ４Ａ（第９レンズ素子Ｌ９）と、負のパワーを有する第２サブレンズ群Ｇ４Ｂ（第１０レンズ素子Ｌ１０）と、正のパワーを有する第３サブレンズ群Ｇ４Ｃ（第１１レンズ素子Ｌ１１、第１２レンズ素子Ｌ１２、第１３レンズ素子Ｌ１３）と、正のパワーを有する第４サブレンズ群Ｇ４Ｄ（第１４レンズ素子Ｌ１４，第１５レンズ素子Ｌ１５）とで構成される。第３サブレンズ群Ｇ４Ｃは、像のぶれを光学的に補正するために、光軸に対して垂直方向に移動する。さらに、第１サブレンズ群Ｇ４Ａと第２サブレンズ群Ｇ４Ｂとの間には開口絞りＡが配置される。広角端から望遠端への変倍の際に、第１サブレンズ群Ｇ４Ａと第２サブレンズ群Ｇ４Ｂとの間隔、第２サブレンズ群Ｇ４Ｂと第３サブレンズ群Ｇ４Ｃとの間隔、第３サブレンズ群Ｇ４Ｃと第４サブレンズ群Ｇ４Ｄとの間隔は変化しない。
【００３９】
無限遠合焦状態から近接物体合焦状態へのフォーカシングの際に、第５レンズ群Ｇ５は、いずれのズーミング状態でも光軸に沿って像面側へ移動し、第６レンズ群Ｇ６は、いずれのズーミング状態でも光軸に沿って物体側へ移動する。
【００４０】
＜実施の形態３＞
図９Ａ、図９Ｂ、図９Ｃに示すように、実施の形態３に係るズームレンズ系において、第１レンズ群Ｇ１は、物体側から像面側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３と、からなる。これらのうち、第１レンズ素子Ｌ１と第２レンズ素子Ｌ２は、接合されている。
【００４１】
第２レンズ群Ｇ２は、物体側から像面側へと順に、物体側に凸面を向けた負メニスカス形状の第４レンズ素子Ｌ４と、像面側に凸面を向けた正メニスカス形状の第５レンズ素子Ｌ５と、両凹形状の第６レンズ素子Ｌ６と、物体側に凸面を向けた正メニスカス形状の第７レンズ素子Ｌ７と、からなる。
【００４２】
第３レンズ群Ｇ３は、両凸形状の第８レンズ素子Ｌ８のみからなる。
【００４３】
第４レンズ群Ｇ４は、物体側から像面側へと順に、物体側に凸面を向けた正メニスカス形状の第９レンズ素子Ｌ９と、両凹形状の第１０レンズ素子Ｌ１０と、物体側に凸面を向けた負メニスカス形状の第１１レンズ素子Ｌ１１と、両凸形状の第１２レンズ素子Ｌ１２と、両凸形状の第１３レンズ素子Ｌ１３と、両凹形状の第１４レンズ素子Ｌ１４と、両凸形状の第１５レンズ素子Ｌ１５とからなる。これらのうち、第１１レンズ素子Ｌ１１と第１２レンズ素子Ｌ１２、第１４レンズ素子Ｌ１４と第１５レンズ素子Ｌ１５は、それぞれ接合されている。さらに、第９レンズ素子Ｌ９の像面側に開口絞りＡが設けられている。
【００４４】
第５レンズ群Ｇ５は、物体側面から像面側へと順に、両凸形状の第１６レンズ素子Ｌ１６と、両凹形状の第１７レンズ素子Ｌ１７と、からなる。このうち、第１６レンズ素子Ｌ１６と第１７レンズ素子は、接合されている。
【００４５】
第６レンズ群Ｇ６は、像面側に凸面を向けた正メニスカス形状の第１８レンズ素子Ｌ１８のみからなる。
【００４６】
第７レンズ群Ｇ７は、両凸形状の第１９レンズ素子Ｌ１９のみからなる。
【００４７】
第８レンズ群Ｇ８は、物体側面から像面側へと順に、両凹形状の第２０レンズ素子Ｌ２０と、両凸形状の第２１レンズ素子Ｌ２１と、からなる。
【００４８】
第４レンズ群Ｇ４を構成するレンズ素子である第１１レンズ素子Ｌ１１、第１２レンズ素子Ｌ１２及び第１３レンズ素子Ｌ１３が、後述する、像のぶれを光学的に補正するために光軸に対して垂直方向に移動する像ぶれ補正レンズ群に相当する。
【００４９】
撮像時の広角端から望遠端へのズーミングの際に、第３レンズ群Ｇ３は、物体側へ単調に移動し、第２レンズ群Ｇ２、第６レンズ群Ｇ６及び第７レンズ群は、像面側に単調に移動し、第５レンズ群Ｇ５は像面側に凸の軌跡を描いて移動する。すなわち、ズーミングに際して、第１レンズ群Ｇ１と第２レンズ群Ｇ２との間隔と、第３レンズ群Ｇ３と第４レンズ群Ｇ４との間隔及び第５レンズ群Ｇ５と第６レンズ群Ｇ６との間隔が増加し、第２レンズ群Ｇ２と第３レンズ群Ｇ３との間隔及び第７レンズ群Ｇ７と第８レンズ群Ｇ８との間隔が減少し、第４レンズ群Ｇ４と第５レンズ群Ｇ５との間隔及び第６レンズ群Ｇ６と第７レンズ群Ｇ７との間隔が変化するように、各レンズ群が光軸に沿ってそれぞれ移動する。
【００５０】
第４レンズ群Ｇ４は、物体側から像側へと順に、正のパワーを有する第１サブレンズ群Ｇ４Ａ（第９レンズ素子Ｌ９）と、負のパワーを有する第２サブレンズ群Ｇ４Ｂ（第１０レンズ素子Ｌ１０）と、正のパワーを有する第３サブレンズ群Ｇ４Ｃ（第１１レンズ素子Ｌ１１、第１２レンズ素子Ｌ１２、第１３レンズ素子Ｌ１３）と、正のパワーを有する第４サブレンズ群Ｇ４Ｄ（第１４レンズ素子Ｌ１４，第１５レンズ素子Ｌ１５）とで構成される。第３サブレンズ群Ｇ４Ｃは、像のぶれを光学的に補正するために、光軸に対して垂直方向に移動する。さらに、第１サブレンズ群Ｇ４Ａと第２サブレンズ群Ｇ４Ｂとの間には開口絞りＡが配置される。広角端から望遠端への変倍の際に、第１サブレンズ群Ｇ４Ａと第２サブレンズ群Ｇ４Ｂとの間隔、第２サブレンズ群Ｇ４Ｂと第３サブレンズ群Ｇ４Ｃとの間隔、第３サブレンズ群Ｇ４Ｃと第４サブレンズ群Ｇ４Ｄとの間隔は変化しない。
【００５１】
無限遠合焦状態から近接物体合焦状態へのフォーカシングの際に、第５レンズ群Ｇ５は、いずれのズーミング状態でも光軸に沿って像面側へ移動し、第７レンズ群Ｇ７は、いずれのズーミング状態でも光軸に沿って物体側へ移動する。
【００５２】
＜実施の形態４＞
図１３Ａ、図１３Ｂ、図１３Ｃに示すように、実施の形態４に係るズームレンズ系において、第１レンズ群Ｇ１は、物体側から像面側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３と、からなる。これらのうち、第１レンズ素子Ｌ１と第２レンズ素子Ｌ２は、接合されている。
【００５３】
第２レンズ群Ｇ２は、物体側から像面側へと順に、物体側に凸面を向けた負メニスカス形状の第４レンズ素子Ｌ４と、両凹形状の第５レンズ素子Ｌ５と、両凸形状の第６レンズ素子Ｌ６と、像面側に凸面を向けた負メニスカス形状の第７レンズ素子Ｌ７と、からなる。また、第５レンズ素子Ｌ５の物体側及び像面側の面は非球面である。
【００５４】
第３レンズ群Ｇ３は、物体側から像面側へと順に、物体側に凸面を向けた正メニスカス形状の第８レンズ素子Ｌ８と、物体側に凸面を向けた正メニスカス形状の第９レンズ素子Ｌ９と、物体側に凸面を向けた正メニスカス形状の第１０レンズ素子Ｌ１０と、物体側に凸面を向けた負メニスカス形状の第１１レンズ素子Ｌ１１と、物体側に凸面を向けた負メニスカス形状の第１２レンズ素子Ｌ１２と、両凸形状の第１３レンズ素子Ｌ１３と、物体側に凸面を向けた負メニスカス形状の第１４レンズ素子Ｌ１４と、両凸形状の第１５レンズ素子とからなる。このうち、第１０レンズ素子Ｌ１０と第１１レンズ素子Ｌ１１、第１２レンズ素子Ｌ１２と第１３レンズ素子Ｌ１３は、それぞれ接合されている。また、第９レンズ素子Ｌ９の像面側及び第１３レンズ素子Ｌ１３の像面側の面は非球面である。さらに、第８レンズ素子Ｌ８の像面側に開口絞りＡが設けられている。
【００５５】
第４レンズ群Ｇ４は、物体側面から像面側へと順に、両凸形状の第１６レンズ素子Ｌ１６と、両凹形状の第１７レンズ素子Ｌ１７と、からなる。このうち、第１６レンズ素子Ｌ１６と第１７レンズ素子Ｌ１７は、接合されている。
【００５６】
また実施の形態４に係るズームレンズ系において、第５レンズ群Ｇ５は、両凸形状の第１８レンズ素子Ｌ１８のみからなる。また、第１８レンズ素子Ｌ１８の物体側の面は非球面である。
【００５７】
第６レンズ群Ｇ６は、両凹形状の第１９レンズ素子Ｌ１９のみからなる。また、第１９レンズ素子Ｌ１９の像面側の面は非球面である。
【００５８】
第３レンズ群Ｇ３を構成するレンズ素子である第１２レンズ素子Ｌ１２及び第１３レンズ素子Ｌ１３が、後述する、像のぶれを光学的に補正するために光軸に対して垂直方向に移動する像ぶれ補正レンズ群に相当する。
【００５９】
撮像時の広角端から望遠端へのズーミングの際に、第１レンズ群Ｇ１、第３レンズ群Ｇ３、第４レンズ群Ｇ４、第５レンズ群Ｇ５及び第６レンズ群Ｇ６は、物体側へ単調に移動し、第２レンズ群Ｇ２は像面側に凸の軌跡を描いて移動する。すなわち、ズーミングに際して、第１レンズ群Ｇ１と第２レンズ群Ｇ２との間隔、第４レンズ群Ｇ４と第５レンズ群Ｇ５との間隔及び第６レンズ群と像面Ｓとの間隔が増加し、第２レンズ群Ｇ２と第３レンズ群Ｇ３との間隔及び第５レンズ群Ｇ５と第６レンズ群Ｇ６との間隔が減少し、第３レンズ群Ｇ３と第４レンズ群Ｇ４との間隔が変化するように、各レンズ群が光軸に沿ってそれぞれ移動する。
【００６０】
無限遠合焦状態から近接物体合焦状態へのフォーカシングの際に、第４レンズ群Ｇ４は、いずれのズーミング状態でも光軸に沿って像面側へ移動し、第５レンズ群Ｇ５は、いずれのズーミング状態でも光軸に沿って物体側へ移動する。
【００６１】
＜実施の形態５＞
図１７Ａ、図１７Ｂ、図１７Ｃに示すように、実施の形態５に係るズームレンズ系において、第１レンズ群Ｇ１は、物体側から像面側へと順に、物体側に凸面を向けた負メニスカス形状の第１レンズ素子Ｌ１と、両凹形状の第２レンズ素子Ｌ２と、物体側に凸面を向けた正メニスカス形状の第３レンズ素子Ｌ３と、からなる。
【００６２】
第２レンズ群Ｇ２は、物体側から像面側へと順に、両凸形状の第４レンズ素子Ｌ４と、両凹形状の第５レンズ素子Ｌ５と、物体側に凸面を向けた負メニスカス形状の第６レンズ素子Ｌ６と、両凸形状の第７レンズ素子Ｌ７と、物体側に凸面を向けた正メニスカス形状の第８レンズ素子Ｌ８と、からなる。また、第４レンズ素子Ｌ４の物体側及び像面側の面は非球面である。さらに、第５レンズ素子Ｌ５の像面側に開口絞りＡが設けられている。
【００６３】
第３レンズ群Ｇ３は、物体側に凸面を向けた負メニスカス形状の第９レンズ素子Ｌ９のみからなる。
【００６４】
第４レンズ群Ｇ４は、物体側に凸面を向けた正メニスカス形状の第１０レンズ素子Ｌ１０のみからなる。また、第１０レンズ素子Ｌ１０の物体側の面は非球面である。
【００６５】
第５レンズ群Ｇ５は、両凹形状の第１１レンズ素子Ｌ１１のみからなる。
【００６６】
第６レンズ群Ｇ６は、像面側に凸面を向けた正メニスカス形状の第１２レンズ素子Ｌ１２のみからなる。
【００６７】
撮像時の広角端から望遠端へのズーミングの際に、第２レンズ群Ｇ２、第３レンズ群Ｇ３、第４レンズ群Ｇ４及び第５レンズ群Ｇ５は、物体側へ単調に移動し、第１レンズ群Ｇ１は像面側に凸の軌跡を描いて移動する。すなわち、ズーミングに際して、第２レンズ群Ｇ２と第３レンズ群Ｇ３との間隔及び第５レンズ群Ｇ５と第６レンズ群Ｇ６との間隔が増加し、第１レンズ群Ｇ１と第２レンズ群Ｇ２との間隔が減少し、第３レンズ群Ｇ３と第４レンズ群Ｇ４との間隔及び第４レンズ群Ｇ４と第５レンズ群Ｇ５との間隔が変化するように、各レンズ群が光軸に沿ってそれぞれ移動する。
【００６８】
無限遠合焦状態から近接物体合焦状態へのフォーカシングの際に、第３レンズ群Ｇ３は、いずれのズーミング状態でも光軸に沿って像面側へ移動し、第４レンズ群Ｇ４は、広角端から中間位置のズーミング状態で光軸に沿って物体側へ移動する。
【００６９】
＜実施の形態６＞
図２０Ａ、図２０Ｂ、図２０Ｃに示すように、実施の形態６に係るズームレンズ系において、第１レンズ群Ｇ１は、物体側から像面側へと順に、物体側に凸面を向けた負メニスカス形状の第１レンズ素子Ｌ１と、両凹形状の第２レンズ素子Ｌ２と、物体側に凸面を向けた正メニスカス形状の第３レンズ素子Ｌ３と、からなる。
【００７０】
第２レンズ群Ｇ２は、物体側から像面側へと順に、両凸形状の第４レンズ素子Ｌ４と、両凹形状の第５レンズ素子Ｌ５と、物体側に凸面を向けた負メニスカス形状の第６レンズ素子Ｌ６と、両凸形状の第７レンズ素子Ｌ７と、物体側に凸面を向けた正メニスカス形状の第８レンズ素子Ｌ８と、からなる。また、第４レンズ素子Ｌ４の物体側及び像面側の面は非球面である。さらに、第５レンズ素子Ｌ５の像面側に開口絞りＡが設けられている。
【００７１】
第３レンズ群Ｇ３は、物体側に凸面を向けた負メニスカス形状の第９レンズ素子Ｌ９のみからなる。
【００７２】
第４レンズ群Ｇ４は、両凸形状の第１０レンズ素子Ｌ１０のみからなる。また、第１０レンズ素子Ｌ１０の物体側の面は非球面である。
【００７３】
第５レンズ群Ｇ５は、両凹形状の第１１レンズ素子Ｌ１１のみからなる。
【００７４】
第６レンズ群Ｇ６は、像面側に凸面を向けた正メニスカス形状の第１２レンズ素子Ｌ１２のみからなる。
【００７５】
撮像時の広角端から望遠端へのズーミングの際に、第２レンズ群Ｇ２、第３レンズ群Ｇ３、第４レンズ群Ｇ４及び第５レンズ群Ｇ５は、物体側へ単調に移動し、第１レンズ群Ｇ１及び第６レンズ群Ｇ６は像面側に凸の軌跡を描いて移動する。すなわち、ズーミングに際して、第２レンズ群Ｇ２と第３レンズ群Ｇ３との間隔及び第５レンズ群Ｇ５と第６レンズ群Ｇ６との間隔が増加し、第１レンズ群Ｇ１と第２レンズ群Ｇ２との間隔が減少し、第３レンズ群Ｇ３と第４レンズ群Ｇ４との間隔、第４レンズ群Ｇ４と第５レンズ群Ｇ５との間隔及び第６レンズ群Ｇ６と像面Ｓとの間隔が変化するように、各レンズ群が光軸に沿ってそれぞれ移動する。
【００７６】
無限遠合焦状態から近接物体合焦状態へのフォーカシングの際に、第３レンズ群Ｇ３は、いずれのズーミング状態でも光軸に沿って像面側へ移動し、第４レンズ群Ｇ４は、広角端から中間位置のズーミング状態で光軸に沿って物体側へ移動する。
【００７７】
＜実施の形態７＞
図２３Ａ、図２３Ｂ、図２３Ｃに示すように、実施の形態７に係るズームレンズ系において、第１レンズ群Ｇ１は、物体側から像面側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３と、からなる。これらのうち、第１レンズ素子Ｌ１と第２レンズ素子Ｌ２は、それぞれ接合されている。
【００７８】
第２レンズ群Ｇ２は、物体側から像面側へと順に、両凸形状の第４レンズ素子Ｌ４と、両凹形状の第５レンズ素子Ｌ５と、物体側に凸面を向けた正メニスカス形状の第６レンズ素子Ｌ６と、物体側に凸面を向けた負メニスカス形状の第７レンズ素子Ｌ７と、像面側に凸形状の負メニスカス形状の第８レンズ素子Ｌ８と、からなる。これらのうち、第４レンズ素子Ｌ４と第５レンズ素子Ｌ５、第６レンズ素子Ｌ６と第７レンズ素子Ｌ７は、それぞれ接合されている。
【００７９】
第３レンズ群Ｇ３は、物体側から像面側へと順に、物体側に凸面を向けた正メニスカス形状の第９レンズ素子Ｌ９と、両凸形状の第１０レンズ素子Ｌ１０と、両凹形状の第１１レンズ素子Ｌ１１と、物体側に凸面を向けた負メニスカス形状の第１２レンズ素子Ｌ１２と、両凸形状の第１３レンズ素子Ｌ１３と、両凸形状の第１４レンズ素子Ｌ１４と、両凹形状の第１５レンズ素子Ｌ１５と、両凸形状の第１６レンズ素子Ｌ１６とからなる。これらのうち、第１０レンズ素子Ｌ１０と第１１レンズ素子Ｌ１１、第１２レンズ素子Ｌ１２と第１３レンズ素子Ｌ１３、第１５レンズ素子Ｌ１５と第１６レンズ素子Ｌ１６は、それぞれ接合されている。さらに、第１１レンズ素子Ｌ１１の像面側に開口絞りＡが設けられている。
【００８０】
第４レンズ群Ｇ４は、物体側面から像面側へと順に、両凸形状の第１７レンズ素子Ｌ１７と、両凹形状の第１８レンズ素子Ｌ１８と、からなる。このうち、第１７レンズ素子Ｌ１７と第１８レンズ素子Ｌ１８は、接合されている。
【００８１】
第５レンズ群Ｇ６は、両凸形状の第１９レンズ素子Ｌ１９のみからなる。
【００８２】
第６レンズ群Ｇ６は、両凹形状の第２０レンズ素子Ｌ２０のみからなる。なお、第３レンズ群Ｇ３を構成するレンズ素子である第１２レンズ素子Ｌ１２、第１３レンズ素子Ｌ１３及び第１４レンズ素子Ｌ１４が、後述する、像のぶれを光学的に補正するために光軸に対して垂直方向に移動する像ぶれ補正レンズ群に相当する。
【００８３】
撮像時の広角端から望遠端へのズーミングの際に、第２レンズ群Ｇ２は単調に像面側に移動し、第４レンズ群Ｇ４は像面側に凸の軌跡を描いて移動し、第５レンズ群Ｇ５は物体側に凸の軌跡を描いて移動し、第１レンズ群と、第３レンズ群及び第６レンズ群は像面に対して固定されている。すなわち、ズーミングに際して、第１レンズ群Ｇ１と第２レンズ群Ｇ２との間隔が増加し、第２レンズ群Ｇ２と第３レンズ群Ｇ３との間隔が減少し、第３レンズ群Ｇ３と第４レンズ群Ｇ４の間隔と、第４レンズ群Ｇ４と第５レンズ群Ｇ５との間隔と、第５レンズ群Ｇ５と第６レンズ群Ｇ６との間隔が変化するように、各レンズ群が光軸に沿ってそれぞれ移動する。
【００８４】
無限遠合焦状態から近接物体合焦状態へのフォーカシングの際に、第４レンズ群Ｇ４は、いずれのズーミング状態でも光軸に沿って像面側へ移動し、第５レンズ群Ｇ５は、いずれのズーミング状態でも光軸に沿って物体側へ移動する。
【００８５】
［２．効果］
実施の形態１から７に係るズームレンズ系では、少なくとも１枚のレンズ素子で構成されたレンズ群を複数有するズームレンズ系であって、物体側から像側へと順に、負のパワーを有する第１フォーカスレンズ群を含む前群と、正のパワーを有する第２フォーカスレンズ群を含む後群とを備える。広角端から望遠端への変倍時に第１フォーカスレンズ群及び第２フォーカスレンズ群が光軸に沿って移動し、無限遠合焦状態から近接物体合焦状態へのフォーカシングの際に、第１フォーカスレンズ群と第２フォーカスレンズ群が移動するので、フォーカスレンズ群の移動量を減らし、レンズ系を小型化することができる。また、フォーカスレンズ群を物体側から像側へと順に負のパワーを有するフォーカスレンズ群、正のパワー有するフォーカスレンズ群により構成することで、２つのフォーカスレンズ群の移動によるフォーカスシフトを打ち消すことなく、２つのフォーカスレンズ群のフォーカス移動で発生する像面湾曲を互いに打ち消すことができ、無限遠合焦状態から近接物体合焦状態まで各ズーム域において良好に像面湾曲を補正できるという利点がある。
【００８６】
実施の形態１から７に係るズームレンズ系では、開口絞りＡが配置されており、開口絞りＡより像側に第１フォーカスレンズ群と第２フォーカスレンズ群が配置されるので、フォーカスレンズ群を小さくでき、軽量化することができる。
【００８７】
実施の形態１から７に係るズームレンズ系では、無限遠合焦状態から近接物体合焦状態へとフォーカシングする際に、結像位置が撮像面側へ近づくように、第１フォーカスレンズ群は像面側へ、第２フォーカスレンズ群は物体側へ移動してフォーカシングを行うので、各フォーカスレンズの移動量を減らすことができ、レンズを小型化することができる。
【００８８】
実施の形態１から７に係るズームレンズ系では、第１フォーカスレンズ群は、広角端から望遠端へズーミングする際に、像面側に凸に変化して移動するので、広角端から望遠端での球面収差を低減できる。
【００８９】
実施の形態１から７に係るズームレンズ系では、第２フォーカスレンズ群は、広角端から望遠端へズーミングする際に、像側に隣接する群に近づく方向に移動するので、広角端から望遠端のコマ収差を低減できる。
【００９０】
実施の形態１から７に係るズームレンズ系では、第２フォーカスレンズ群は、正のパワーを有する単レンズ素子１枚で構成するので、第２フォーカスレンズ群を軽量化でき、フォーカスレンズ群を駆動させるアクチェータなどを小型化でき、レンズ鏡筒を小さくすることができる。
【００９１】
実施の形態１から４及び７に係るズームレンズ系では、第１フォーカスレンズ群は、物体から順に正のパワーを有する単レンズ素子と負のパワーを有する単レンズ素子の接合レンズで構成されるので、第１フォーカスレンズ群を軽量化することができ、アクチェータなどを小型化できレンズ鏡筒を小さくすることができる。
【００９２】
実施の形態１から４及び７に係るズームレンズ系では、最も物体側に位置する第１レンズ群が、正のパワーを有するので、絞りＡの径を小さくすることができ、レンズ鏡筒径を小さくすることができる。
【００９３】
実施の形態１から３及び７に係るズームレンズ系では、広角端から望遠端へ変倍する際に、第１レンズ群が像面に対して固定されているので、第１レンズ群を可動にした場合に設ける必要がある鏡筒の隙間が不要となり、塵芥の進入を防ぐことができる。
【００９４】
実施の形態１から３に係るズームレンズ系では、最も物体側に位置する第１レンズ群と絞りＡとの間に、広角端から望遠端に変倍する際に移動するレンズ群が少なくとも２つ有するので、広角端から望遠端までのズームポジションにおいて諸収差、特に球面収差を良好に補正することができる。
【００９５】
実施の形態１から４に係るズームレンズ系では、前群において、第１フォーカスレンズ群の物体側に、物体側から像側へと順に、正パワーを有する第１レンズ群Ｇ１、負のパワーを有する第２レンズ群Ｇ２、正パワーを有する第３レンズ群Ｇ３を有するので、広角端から望遠端までの各ズームポジションにおける諸収差を良好に補正することができる。また、フォーカスレンズ群を軽量化することができ、フォーカスレンズ群を駆動するアクチェータなどを小型化することができ、鏡筒径を小さくすることができる。
【００９６】
実施の形態１から３に係るズームレンズ系では、第３レンズ群Ｇ３が正の単レンズ素子１枚で構成されるので、第３レンズ群を軽量化でき、さらに製造時における第３レンズ群の固定が容易にできる。
【００９７】
実施の形態１から３に係るズームレンズ系では、前群において、第１フォーカスレンズ群のすぐ物体側のレンズ群は、物体側から像側へと順に、正のパワーを有する第１サブレンズ群と、開口絞りＡと、負のパワーを有する第２サブレンズ群と、光軸に垂直な方向に移動させて像ぶれ補正を行う正のパワーを有する第３サブレンズ群、及び第４サブレンズ群を有する。第１サブレンズ群は像ぶれ補正時に、諸収差の発生を低減でき、像ぶれ補正に必要な移動量も小さくできるので鏡筒径を小型化することができる。
【００９８】
実施の形態１に係るズームレンズ系は、第１フォーカスレンズ群のすぐ物体側のレンズ群における像ぶれ補正サブレンズ群のすぐ像面側に、広角端から望遠端への変倍時に径が変化する可変光線絞りＶＡを有している。これにより、広角端から望遠端のそれぞれのズーム位置で軸外光束の上光線をカットできるので、各ズーム位置の上光線がカットでき、各ズーム位置の中間像高の諸収差を低減させることができる。
【００９９】
実施の形態１から３及び７に係るズームレンズ系では、像ぶれ補正サブレンズ群が物体から順に負のパワーを有するレンズと正パワーを有するレンズの接合レンズ及び正パワーを有する単レンズより構成されるので、像ぶれ補正時の諸収差発生を低減することができる。
【０１００】
実施の形態１から７に係るズームレンズ系は、ズーミングに際して、各レンズ群の間隔いずれも変化するように、各レンズ群が光軸に沿った方向にそれぞれ移動する。各実施の形態に係るズームレンズ系は、これら各レンズ群を所望のパワー配置にすることにより、無限遠合焦状態から近接物体合焦状態まで高い光学性能を有し、全長が短く、外径が小さいことを可能にしている。
【０１０１】
以上のように、本出願において開示する技術の例示として、実施の形態１〜６を説明した。しかしながら、本開示における技術は、これに限定されず、適宜、変更、置き換え、付加、省略などを行った実施の形態にも適用可能である。
【０１０２】
以下、例えば実施の形態１〜６に係るレンズ系のごときレンズ系が満足することが可能な条件を説明する。なお、各実施の形態に係るレンズ系に対して、複数の可能な条件が規定されるが、これら複数の条件すべてを満足するレンズ系の構成が最も効果的である。しかしながら、個別の条件を満足することにより、それぞれ対応する効果を奏するレンズ系を得ることも可能である。
【０１０３】
例えば実施の形態１から７に係るズームレンズ系では、少なくとも１枚のレンズ素子で構成されたレンズ群を複数有するズームレンズ系であって、物体側から像面側へと順に、負のパワーを有する第１フォーカスレンズ群を含む前群と、正のパワーを有する第２フォーカスレンズ群を含む後群とを備え、広角端から望遠端への変倍時に第１フォーカスレンズ群及び第２フォーカスレンズ群が光軸に沿って移動し、無限遠合焦状態から近接物体合焦状態へのフォーカシングの際に、第１フォーカスレンズ群と第２フォーカスレンズ群が移動してフォーカシングを行い（以下、このレンズ構成を、実施の形態の基本構成という）、以下の条件式(１)を満足することが好ましい。
【０１０４】
−２０＜β１ｔ/β１ｗ×β２ｔ/β２ｗ＜２０・・・（１）
ここで、
β１ｔ：第１フォーカスレンズ群の望遠端での横倍率
β１ｗ：第１フォーカスレンズ群の広角端での横倍率
β２ｔ：第２フォーカスレンズ群の望遠端での横倍率
β２ｗ：第２フォーカスレンズ群の広角端での横倍率
である。
【０１０５】
条件式（１）は、第１フォーカスレンズ群と第２フォーカスレンズ群の変倍への寄与を規定する条件である。条件式（１）を満たすことで、全長を短くしつつ、収差の発生量を抑えることができる。条件式（１）の下限を下回ると、フォーカスレンズ群の変倍の負担が小さくなり、他の群で変倍を行わなくてはならず全長が大きくなる、逆に条件式（１）の上限を上回ると、フォーカスレンズ群の変倍への負担が大きすぎて、フォーカスレンズ群の球面収差の発生量が大きくなり性能が悪化する。なお、さらに以下の条件式（１）’及び（１）’’の少なくとも１つを満足することにより、前記効果をさらに奏功させることができる。
【０１０６】
１．０５＜β１ｔ/β１ｗ×β２ｔ/β２ｗ  ・・・（１）’
β１ｔ/β１ｗ×β２ｔ/β２ｗ＜２．００  ・・・（１）’’
例えば実施の形態１から７に係るズームレンズ系のように、基本構成を有し、以下の条件式(２)を満足することが好ましい。
【０１０７】
０．２５＜|ｆ１/ｆ２|＜１．３０  ・・・（２）
ここで、
ｆ１：第１フォーカスレンズ群の焦点距離
ｆ２：第２フォーカスレンズ群の焦点距離
である。
【０１０８】
条件式（２）は、第１フォーカスレンズ群と第２フォーカスレンズ群のパワー比を規定する条件である。条件式（２）を満たすことで、レンズ鏡筒の小型化を実現しつつ、像面湾曲の量を低減することができる。条件式（２）の下限を下回ると、第１フォーカスレンズ群のパワーが強くなりすぎて第２フォーカスレンズ群の径が大きくなり、第２フォーカスレンズ群が重くなることにより、アクチェータが大きくなり鏡筒径が大きくなる。逆に条件式（２）の上限を上回ると、第１フォーカスレンズ群と第２フォーカスレンズ郡がお互いに移動することで打ち消している像面湾曲が補正できなくなり、至近撮影時に像面湾曲が悪化する。なお、さらに以下の条件式（２）’及び（２）’’の少なくとも１つを満足することにより、前記効果をさらに奏功させることができる。
【０１０９】
０．５０＜|ｆ１/ｆ２|  ・・・（２）’
|ｆ１/ｆ２|＜１．２０  ・・・（２）’’
例えば実施の形態１，２，３，５及び６に係るズームレンズ系のように、基本構成を有し、第２フォーカスレンズ群を構成するレンズ素子のうち、最も強い正のパワーを有するレンズが以下の条件式を満足することが好ましい。
【０１１０】
νｐ２＜３０  ・・・（３）
ここで
νｐ２：第２フォーカスレンズ群を構成するレンズ素子のうち最も強い正のパワーを有するレンズのアッベ数
である。
【０１１１】
条件式（３）は第２フォーカスレンズ群を構成するレンズ素子のうち最も強い正のパワーを有するレンズのアッベ数を規定するものである。条件式（３）を満たすことで、各ズームポジションにおいて色収差を良好に補正することができる。条件式（３）の上限を上回ると広角端から望遠端での色収差を良好に補正することができなくなる。
【０１１２】
例えば実施の形態１から４及び７に係るズームレンズ系のように、基本構成を有し、第１フォーカスレンズ群は少なくとも正のパワーを有する単レンズ素子と負のパワーを有する単レンズ素子で構成され、以下の条件式（４）を満足することが好ましい。
【０１１３】
νｐ１＜３０  ・・・（４）
ここで、
νｐ１：第１フォーカスレンズ群を構成するレンズのうち最も強い正のパワーを有するレンズのアッベ数
である。
【０１１４】
条件式（４）は第１フォーカスレンズ群を構成するレンズのうち最も強い正のパワーを有するレンズのアッベ数を規定するものである。条件式（４）を満たすことで、無限遠合焦状態から近接物体合焦状態において色収差を良好に補正できる。上限を上回ると無限遠から近接までの色収差が良好に補正できなくなってしまう。
【０１１５】
例えば実施の形態１から６に係るズームレンズ系のように、基本構成を有し、以下の条件式（５）を満足することが好ましい。
【０１１６】
ｍｆ２ｗ/ｍｆ１ｗ＞ｍｆ２ｔ/ｍｆ１ｔ  ・・・（５）
ここで
ｍｆ２ｗ：広角端で無限から任意の距離の物体にフォーカシングしたときの第２フォーカスレンズ群の移動量
ｍｆ１ｗ：広角端で無限から任意の距離の物体にフォーカシングしたときの第１フォーカスレンズ群の移動量
ｍｆ２ｔ：望遠端で無限から任意の距離の物体にフォーカシングしたときの第２フォーカスレンズ群の移動量
ｍｆ１ｔ：望遠端で無限から任意の距離の物体にフォーカシングしたときの第１フォーカスレンズ群の移動量
である。
【０１１７】
条件式（５）は、第１フォーカスレンズ群と第２フォーカスレンズ群の広角端と望遠端での移動量比を規定するものである。条件式（５）を満足することで、各ズームポジションにおいて収差を良好に補正できる。特に球面収差の補正が良好にできる。条件式（５）を満足しないと、各ズーム位置で無限遠から至近までの収差補正ができなくなってしまう。
【０１１８】
実施の形態１〜７に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、好ましい。
【０１１９】
（実施の形態８）
図２７は、実施の形態８に係るレンズ交換式デジタルカメラシステムの概略構成図である。
【０１２０】
本実施の形態に係るレンズ交換式デジタルカメラシステム１００は、カメラ本体１０１と、カメラ本体１０１に着脱自在に接続される交換レンズ装置２０１とを備える。
【０１２１】
カメラ本体１０１は、交換レンズ装置２０１のズームレンズ系２０２によって形成される光学像を受光して、電気的な画像信号に変換する撮像素子１０２と、撮像素子１０２によって変換された画像信号を表示する液晶モニタ１０３と、カメラマウント部１０４とを含む。一方、交換レンズ装置２０１は、実施の形態１から６いずれかに係るズームレンズ系２０２と、ズームレンズ系２０２を保持する鏡筒２０３と、カメラ本体のカメラマウント部１０４に接続されるレンズマウント部２０４とを含む。カメラマウント部１０４及びレンズマウント部２０４は、物理的な接続のみならず、カメラ本体１０１内のコントローラ（図示せず）と交換レンズ装置２０１内のコントローラ（図示せず）とを電気的に接続し、相互の信号のやり取りを可能とするインターフェースとしても機能する。なお、図２３においては、ズームレンズ系２０２として実施の形態１に係るズームレンズ系を用いた場合を図示している。
【０１２２】
本実施の形態では、実施の形態１から７いずれかに係るズームレンズ系２０２を用いているので、コンパクトで結像性能に優れた交換レンズ装置を低コストで実現することができる。また、本実施の形態に係るレンズ交換式デジタルカメラシステム１００全体の小型化及び高性能化も達成することができる。なお、これら実施の形態１から６に係るズームレンズ系は、全てのズーミング域を使用する必要はない。すなわち、所望のズーミング域に応じて、光学性能が確保されている範囲を切り出し、以下の対応する数値実施例１から６で説明するズームレンズ系よりも低倍率のズームレンズ系として使用してもよい。
【０１２３】
以下、実施の形態１〜６に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、νｄはｄ線に対するアッベ数である。また、各数値実施例において、＊印を付した面は非球面であり、非球面形状は次式［数２］で定義している。
【０１２４】
【数２】
0006586636.tif 000003
【０１２５】
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【０１２６】
図２、図６、図１０、図１４、図１８、図２１及び図２４は、各々数値実施例１〜７に係るズームレンズ系の無限遠合焦状態の縦収差図である。
【０１２７】
また図３、図７、図１１、図１５、図１９、図２２及び図２５は、各々数値実施例１〜７に係るズームレンズ系の近接物体合焦状態の縦収差図である。なお、各数値実施例における物体距離は、以下に示すとおりである。
【０１２８】
数値実施例１    １２００ｍｍ
数値実施例２      ８００ｍｍ
数値実施例３      ８００ｍｍ
数値実施例４      ５５０ｍｍ
数値実施例５      ３００ｍｍ
数値実施例６      ３００ｍｍ
数値実施例７      １０００ｍｍ
各縦収差図において、（ａ）は広角端、（ｂ）は中間位置、（ｃ）は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１２９】
図４、図８、図１２、図１６及び図２６は各々数値実施例１〜４及び７に係るズームレンズ系の望遠端における横収差図である。
【０１３０】
各横収差図において、上段３つの収差図は、望遠端における像ぶれ補正を行っていない基本状態、下段３つの収差図は、像ぶれ補正レンズ群（数値実施例１：第４レンズ群Ｇ４の第１４レンズ素子Ｌ１４、第１５レンズ素子Ｌ１５及び第１６レンズ素子Ｌ１６、数値実施例２、３：第４レンズ群Ｇ４の第１１レンズ素子Ｌ１１、第１２レンズ素子Ｌ１２及び第１３レンズ素子Ｌ１３、数値実施例４：第３レンズ群Ｇ３の第１２レンズ素子Ｌ１２及び第１３レンズ素子Ｌ１３）を光軸と垂直な方向に所定量移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と像ぶれ補正レンズ群の光軸とを含む平面としている。
【０１３１】
なお、各数値実施例のズームレンズ系について、望遠端における、像ぶれ補正状態での像ぶれ補正レンズ群の光軸と垂直な方向への移動量は、以下に示すとおりである。
【０１３２】
数値実施例１    ０．９０００ｍｍ
数値実施例２    ０．７４８６ｍｍ
数値実施例３    ０．８１０２ｍｍ
数値実施例４    ０．６０８１ｍｍ
数値実施例７    ０．８８２９ｍｍ
撮影距離が∞で望遠端において、ズームレンズ系が所定の角度だけ傾いた場合の像偏心量は、像ぶれ補正レンズ群が光軸と垂直な方向に上記の各値だけ平行移動するときの像偏心量に等しい。
【０１３３】
各横収差図から明らかなように、軸上像点における横収差の対称性は良好であることがわかる。また、＋７０％像点における横収差と−７０％像点における横収差を基本状態と像ぶれ補正状態とで比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、所定の角度までの像ぶれ補正角に対して、結像特性を低下させることなく充分な像ぶれ補正を行うことが可能である。
【０１３４】
（数値実施例１）
数値実施例１のズームレンズ系は、図１Ａ〜図１Ｃに示した実施の形態１に対応する。数値実施例１のズームレンズ系の面データをデータ１に、無限遠合焦状態での各種データをデータ２に、近接物体合焦状態での各種データをデータ３に示す。
【０１３５】
データ１（面データ）
面番号         r           d           nd         vd                
物面             ∞                                               
1        178.66790     2.40000     1.90366    31.3               
2         88.73070     1.02470                                   
3         88.73070     9.67830     1.43700    95.1               
4       -590.40040     0.20000                                   
5         88.40080     8.28890     1.43700    95.1               
6      -1630.19590        可変                                   
7        293.10870     4.05020     1.84666    23.8               
8       -307.24960     2.21160                                   
9        246.30560     1.80000     1.59349    67.0               
10         55.02840     3.03610     1.69895    30.0               
11         90.90590     2.88380                                   
12       2761.15140     1.60000     1.59349    67.0               
13        106.44040     5.78450                                   
14        -70.13620     1.50000     1.72916    54.7               
15         76.00610     2.23850     1.78472    25.7               
16        158.63790        可変                                   
17         70.89880     6.45930     1.83481    42.7               
18       -183.85220        可変                                   
19         44.71190     4.32610     1.43700    95.1               
20        108.24170     5.49810                                   
21(絞り)           ∞     2.50000                                   
22        346.10340     3.74600     1.49700    81.6               
23        -68.32480     1.30000     2.00100    29.1               
24         40.83250     2.58620                                   
25         69.59730     1.30000     1.80610    33.3               
26         42.15810     6.59070     1.48749    70.4               
27        -83.40530     0.20000                                   
28         77.87690     3.57650     1.71300    53.9               
29       -257.08570     1.35690                                   
30               ∞     5.04720                                   
31        -49.64730     1.30000     1.51823    59.0               
32         36.36000     7.92230     1.62041    60.3               
33        -48.73690        可変                                   
34       -149.83270     2.73050     1.80518    25.5               
35        -41.70390     0.80000     1.58144    40.9               
36         38.56360        可変                                   
37        143.61370     4.64160     1.84666    23.8               
38        -81.00210        可変                                   
39        -65.44990     1.50000     1.72342    38.0               
40         48.76690     3.09120                                   
41         45.26650     8.21380     1.62041    60.3               
42               ∞    31.01840                                   
像面             ∞                                               
データ２（無限遠合焦状態での各種データ）
ズーム比     2.95713
広角      中間      望遠
焦点距離      92.2864  158.6671  272.9028
Ｆナンバー     2.90761   3.28448   4.10547
画角        13.1946    7.6150    4.4177
像高        21.6300   21.6300   21.6300
d6           1.1675   29.0997   53.3278 
d16         61.1833   29.6605    1.0000 
d18          1.0000    4.5905    9.0230 
d33          2.5391    6.8311    2.5000 
d36         23.6362   24.1859   34.8950 
d38         14.0722    9.2305    2.8526 
ズームレンズ群データ
群    始面      焦点距離
1       1     172.45338
2       7     -59.93162
3      17      62.00739
4      19     148.56478
5      34     -65.94136
6      37      61.75545
7      39     -90.17525
データ３（近接物体合焦状態での各種データ）
広角      中間      望遠
物体距離    1200.0000 1200.0000 1200.0000
d6           1.1675   29.0997   53.3278 
d16         61.1833   29.6605    1.0000 
d18          1.0000    4.5905    9.0230 
d33          4.3347   12.5970   19.5673 
d36         20.6573   15.6675   12.2099 
d38         15.2555   11.9830    8.4703 
（数値実施例２）
数値実施例２のズームレンズ系は、図５Ａ〜図５Ｃに示した実施の形態２に対応する。数値実施例２のズームレンズ系の面データをデータ４に、無限遠合焦状態での各種データをデータ５に、近接物体合焦状態での各種データをデータ６に示す。
【０１３６】
データ４（面データ）
面番号         r           d           nd         vd                
物面             ∞                                               
1        127.28940     2.00000     1.84666    23.8               
2         75.68600     9.84220     1.49700    81.6               
3        591.32420     0.20000                                   
4         95.83010     7.80840     1.49700    81.6               
5       4810.63100        可変                                   
6        406.78590     2.00000     1.61800    63.4               
7         40.71820    10.19880                                   
8        -89.70220     3.09740     1.84666    23.8               
9        -53.56930     1.47370                                   
10        -49.30490     1.50000     1.69680    55.5               
11       1219.95860     0.10000                                   
12         86.20020     3.89380     1.84666    23.8               
13        426.99000        可変                                   
14         82.42500     6.74770     1.72916    54.7               
15       -216.68920        可変                                   
16         51.93320     3.03920     1.72916    54.7               
17        100.28070     5.23110                                   
18(絞り)           ∞     3.18540                                   
19       -195.70310     1.30000     1.80610    33.3               
20         37.44250     3.41120                                   
21         97.22280     1.30000     1.80518    25.5               
22         45.62660     5.58430     1.59349    67.0               
23       -139.81330     0.20000                                   
24         77.07170     3.64640     1.72916    54.7               
25       -269.26660     3.06900                                   
26        -70.29040     1.30000     1.60342    38.0               
27         28.51900     9.61420     1.69680    55.5               
28        -64.57000        可変                                   
29        608.64200     3.08720     1.84666    23.8               
30        -47.31810     0.80000     1.74400    44.7               
31         39.18120        可変                                   
32         86.52460     5.55610     1.84666    23.8               
33        -83.27500        可変                                   
34        -85.44620     1.50000     1.84666    23.8               
35         44.34060     4.05900                                   
36         43.61300     8.89190     1.54814    45.8               
37       -925.26930    31.01840                                   
像面             ∞                                               
データ５（無限遠合焦状態での各種データ）
ズーム比     2.71571
広角      中間      望遠
焦点距離      71.7986  118.2340  194.9840
Ｆナンバー     2.90439   2.90288   2.89938
画角        16.9789   10.1987    6.1666
像高        21.6300   21.6300   21.6300
d5           1.0000   24.6664   46.3969 
d13         65.3746   31.3898    1.0000 
d15          1.0000   11.3183   19.9777 
d28          3.7844    5.4532    2.5000 
d31         18.8647   21.3479   29.4698 
d33         11.3206    7.1685    2.0000 
ズームレンズ群データ
群    始面      焦点距離
1       1     160.73980
2       6     -72.60365
3      14      82.67750
4      16     105.47904
5      29     -65.11249
6      32      50.88285
7      34     -70.01931
データ６（近接合焦状態での各種データ）
広角      中間      望遠
物体距離     800.0000  800.0000  800.0000
d5           1.0000   24.6664   46.3969 
d13         65.3746   31.3898    1.0000 
d15          1.0000   11.3183   19.9777 
d28          5.6109   10.2722   14.5214 
d31         16.2374   14.6449   13.2963 
d33         12.1214    9.0526    6.1520 
（数値実施例３）
数値実施例３のズームレンズ系は、図９Ａ〜図９Ｃに示した実施の形態３に対応する。数値実施例３のズームレンズ系の面データをデータ７に、無限遠合焦状態での各種データをデータ８に、近接物体合焦状態での各種データをデータ９に示す。
【０１３７】
データ７（面データ）
面番号         r           d           nd         vd                
物面             ∞                                               
1        111.97000     2.00000     1.84666    23.8               
2         71.81730     9.84930     1.49700    81.6               
3        501.86860     0.20000                                   
4         96.80530     6.95640     1.49700    81.6               
5       1171.36130        可変                                   
6        659.28830     2.00000     1.61800    63.4               
7         41.70630     9.40220                                   
8        -98.44380     3.07960     1.84666    23.8               
9        -55.59200     1.43920                                   
10        -51.10510     1.50000     1.69680    55.5               
11        554.35890     0.10000                                   
12         84.15800     3.66770     1.84666    23.8               
13        383.96290        可変                                   
14         80.66220     6.71970     1.72916    54.7               
15       -178.85550        可変                                   
16         60.05650     2.35990     1.72916    54.7               
17        100.84750     5.16620                                   
18(絞り)           ∞     3.43330                                   
19       -141.16450     1.30000     1.80610    33.3               
20         41.82640     3.12720                                   
21        105.49950     1.30000     1.80518    25.5               
22         50.15440     5.16410     1.59349    67.0               
23       -158.64980     0.20000                                   
24         88.67910     3.46330     1.72916    54.7               
25       -236.97680     2.87510                                   
26        -77.26210     1.30000     1.60342    38.0               
27         30.61410     8.89320     1.71300    53.9               
28        -78.39990        可変                                   
29        470.93840     3.14990     1.84666    23.8               
30        -50.28260     0.80000     1.80610    40.7               
31         49.74860        可変                                   
32      -1778.25360     2.56250     1.80420    46.5               
33       -114.71500        可変                                   
34        100.64850     5.03180     1.84666    23.8               
35       -106.66260        可変                                   
36       -111.75280     1.50000     1.80518    25.5               
37         38.86220     4.83610                                   
38         38.81250     7.79020     1.51742    52.1               
39        156.01700    32.43440                                   
像面             ∞                                               
データ８（無限遠合焦状態での各種データ）
ズーム比     2.71599
広角      中間      望遠
焦点距離      71.7938  118.2294  194.9913
Ｆナンバー     2.90481   2.90305   2.89965
画角        17.0090   10.2122    6.1786
像高        21.6300   21.6300   21.6300
d5           1.0784   25.2663   47.9595 
d13         62.0544   30.1422    1.0000 
d15          1.0000    8.7242   15.1733 
d28          5.5198    7.5463    2.5000 
d31         19.3999   21.1006   27.7661 
d33          3.0000    2.7565    6.0000 
d35         10.3463    6.8625    2.0000 
ズームレンズ群データ
群    始面      焦点距離
1       1     157.07678
2       6     -71.61874
3      14      77.08155
4      16     160.81442
5      29     -73.89214
6      32     152.37686
7      34      61.85090
8      36     -59.40669
データ９（近接物体合焦状態での各種データ）
広角      中間      望遠
物体距離     800.0000  800.0000  800.0000
焦点距離      68.7470  105.2069  145.9848
d5           1.0784   25.2663   47.9595 
d13         62.0544   30.1422    1.0000 
d15          1.0000    8.7242   15.1733 
d28          8.0529   14.1701   19.0413 
d31         16.8669   14.4768   11.2248 
d33          2.1829    0.9077    2.3130 
d35         11.1633    8.7114    5.6869 
（数値実施例４）
数値実施例４のズームレンズ系は、図１３Ａ〜図１３Ｃに示した実施の形態４に対応する。数値実施例４のズームレンズ系の面データをデータ１０に、非球面データをデータ１１に、無限遠合焦状態での各種データをデータ１２に、近接物体合焦状態での各種データをデータ１３に示す。
【０１３８】
データ１０（面データ）
面番号         r           d           nd         vd                
物面             ∞                                               
1        114.84260     2.40000     1.90366    31.3               
2         71.00500     8.94010     1.49700    81.6               
3        496.79980     0.20000                                   
4         73.51540     6.10740     1.59282    68.6               
5        415.79190        可変                                   
6        152.98880     2.00000     1.80420    46.5               
7         21.04540     9.52770                                   
8*       -57.67750     1.80000     1.77200    50.0               
9*        65.78610     0.20000                                   
10         50.42170     5.72530     1.84666    23.8               
11        -67.41920     1.23260                                   
12        -40.99750     1.50000     1.80420    46.5               
13       -102.46900        可変                                   
14         26.13320     2.93750     1.70154    41.1               
15         74.73680     2.21140                                   
16(絞り)           ∞     1.50350                                   
17         41.72730     1.67660     1.69350    53.2               
18*       116.24750     0.94210                                   
19         40.10190     1.96610     1.43700    95.1               
20        137.37950     0.90000     1.95375    32.3               
21         25.47980     1.34360                                   
22         26.86700     0.90000     1.80610    33.3               
23         18.99230     5.55500     1.49710    81.6               
24*       -57.70970     1.00000                                   
25        226.16630     0.90000     1.67270    32.2               
26         30.91200     5.28050                                   
27         41.53290     4.72610     1.56883    56.0               
28        -30.30710        可変                                   
29         79.30570     1.42770     1.84666    23.8               
30       -543.85120     0.80000     1.62041    60.3               
31         20.70410        可変                                   
32*        58.90380     2.98090     1.52500    70.3               
33        -76.87520        可変                                   
34        -76.39650     1.20000     1.77200    50.0               
35*        74.00130        可変                                   
像面             ∞                                               
データ１１（非球面データ）
第8面
K= 0.00000E+00, A4=-6.37742E-07, A6= 0.00000E+00 
第9面
K= 0.00000E+00, A4=-2.84099E-06, A6= 7.71332E-10 
第18面
K= 0.00000E+00, A4= 1.58588E-05, A6= 0.00000E+00 
第24面
K= 0.00000E+00, A4= 6.72611E-06, A6= 0.00000E+00 
第32面
K= 0.00000E+00, A4=-1.16999E-05, A6= 0.00000E+00 
第35面
K= 0.00000E+00, A4=-1.50000E-05, A6= 0.00000E+00 
データ１２（無限遠合焦状態での各種データ）
ズーム比     9.39938
広角      中間      望遠
焦点距離      24.7429   75.7728  232.5679
Ｆナンバー     3.60647   5.14760   6.47988
画角        41.9623   15.7395    5.2593
像高        20.0000   21.6300   21.6300
d5           1.0000   25.5409   65.3966 
d13         39.9392   11.1637    1.0000 
d28          2.5000    6.6465    2.7390 
d31          7.4731   10.8194   14.6240 
d33          7.1636    3.7533    2.0000 
d35         20.7449   45.4178   73.4381 
ズームレンズ群データ
群    始面      焦点距離
1       1     128.96217
2       6     -23.84464
3      14      31.77283
4      29     -54.15475
5      32      64.00714
6      34     -48.52312
データ１３（近接物体合焦状態での各種データ）
広角      中間      望遠
物体距離    550.0000  550.0000  550.0000
d5           1.0000   25.5409   65.3966 
d13         39.9392   11.1637    1.0000 
d28          2.8336    8.6605   11.8718 
d31          6.8167    8.5191    5.3920 
d33          7.4863    4.0396    2.0991 
d35         20.7449   45.4178   73.4381 
（数値実施例５）
数値実施例５のズームレンズ系は、図１７Ａ〜図１７Ｃに示した実施の形態５に対応する。数値実施例５のズームレンズ系の面データをデータ１４、非球面データをデータ１５に、無限遠合焦状態での各種データをデータ１６に、近接物体合焦状態での各種データをデータ１７に示す。
【０１３９】
データ１４（面データ）
面番号         r           d           nd         vd                
物面             ∞                                               
1         63.71310     1.50000     1.83400    37.3               
2         22.42690     9.55270                                   
3       -102.09940     1.20000     1.71300    53.9               
4         65.32570     3.29240                                   
5         43.37070     4.30000     1.84666    23.8               
6        172.99030        可変                                   
7*        22.88250     5.92740     1.77200    50.0               
8*       -93.87200     0.50000                                   
9       -104.95110     0.90000     1.80518    25.5               
10        153.87360     5.70320                                   
11(絞り)           ∞     1.00000                                   
12         31.67630     0.80000     1.80610    33.3               
13         11.84300     6.35700     1.49700    81.6               
14        -78.92360     0.20000                                   
15         39.67010     0.93460     1.84666    23.8               
16         76.08570        可変                                   
17         55.21500     0.60000     1.54072    47.2               
18         15.90340        可変                                   
19*        56.55450     1.50000     1.82115    24.1               
20        106.35400        可変                                   
21        -60.31570     0.80000     1.70154    41.1               
22        346.99950        可変                                   
23        -84.49040     4.51080     1.48749    70.4               
24        -34.10000    20.26820                                   
像面             ∞                                               
データ１５（非球面データ）
第7面
K= 0.00000E+00, A4=-4.78437E-06, A6= 0.00000E+00 
第8面
K= 0.00000E+00, A4= 5.37820E-06, A6= 0.00000E+00 
第19面
K= 0.00000E+00, A4=-8.02483E-07, A6= 7.68586E-08 
データ１６（無限遠合焦状態での各種データ）
ズーム比     2.94297
広角      中間      望遠
焦点距離      24.7198   44.9999   72.7498
Ｆナンバー     3.60527   4.99559   5.76846
画角        44.4804   25.5043   16.5655
像高        21.6300   21.6300   21.6300
d6          36.9765   11.9226    1.0000 
d16          2.2167    4.6245    6.5836 
d18          5.5129    6.2149    5.1436 
d20          2.2618    2.4880    2.2446 
d22          1.6856   13.4482   33.6818 
ズームレンズ群データ
群    始面      焦点距離
1       1     -39.05840
2       7      25.97546
3      17     -41.53234
4      19     145.11658
5      21     -73.18515
6      23     113.94388
データ１７（近接物体合焦状態での各種データ）
広角      中間      望遠
物体距離     300.0000  300.0000  300.0000
d6          36.9765   11.9226    1.0000 
d16          2.8832    6.4117    9.7273 
d18          4.0675    3.8086    2.0000 
d20          3.0407    3.1072    2.2446 
d22          1.6856   13.4482   33.6818 
（数値実施例６）
数値実施例６のズームレンズ系は、図２０Ａ〜図２０Ｃに示した実施の形態６に対応する。数値実施例６のズームレンズ系の面データをデータ１８に、非球面データをデータ１９に、無限遠合焦状態での各種データをデータ２０に、近接物体合焦状態での各種データをデータ２１に示す。
【０１４０】
データ１８（面データ）
面番号         r           d           nd         vd                
物面             ∞                                               
1         67.46590     1.50000     1.83400    37.3               
2         22.72740     9.61610                                   
3        -97.75550     1.20000     1.69680    55.5               
4         67.09320     2.89810                                   
5         43.39390     4.36810     1.84666    23.8               
6        176.13480        可変                                   
7*        23.12150     6.67260     1.77200    50.0               
8*       -80.46600     0.50000                                   
9        -87.40760     0.90000     1.80518    25.5               
10        149.99030     5.56250                                   
11(絞り)           ∞     1.00000                                   
12         27.74710     0.80000     1.80610    33.3               
13         11.64230     5.63930     1.49700    81.6               
14        -96.39190     0.20000                                   
15         39.07800     0.99430     1.84666    23.8               
16         73.58310        可変                                   
17         82.84870     0.60000     1.54814    45.8               
18         15.87980        可変                                   
19*        89.43000     1.50000     1.64000    19.0               
20       -142.89130        可変                                   
21        -46.22180     0.80000     1.75520    27.5               
22        886.81000        可変                                   
23        -80.39220     4.13680     1.59349    67.0               
24        -35.50930        可変                                   
像面             ∞                                               
データ１９（非球面データ）
第7面
K= 0.00000E+00, A4=-4.70300E-06, A6= 0.00000E+00 
第8面
K= 0.00000E+00, A4= 5.36511E-06, A6= 0.00000E+00 
第19面
K= 0.00000E+00, A4=-5.42857E-07, A6= 1.15640E-07 
データ２０（無限遠合焦状態での各種データ）
広角      中間      望遠
焦点距離      24.72000   44.99970   72.7493
Ｆナンバー      3.60503    4.99576    5.76829
画角        44.47590   25.51220   16.5454
像高        21.63000   21.63000   21.6300
d6          37.21570   12.24740    1.0000 
d16          2.22120    4.47210    6.5258 
d18          5.32620    6.01780    4.8002 
d20          2.04590    2.60420    2.1000 
d22          1.62080   13.78240   33.2078 
d24         21.18210   20.68180   21.9756 
ズームレンズ群データ
群    始面      焦点距離
1       1     -39.11980
2       7      25.30783
3      17     -35.95389
4      19      86.16198
5      21     -58.15122
6      23     103.60989
データ２１（近接物体合焦状態での各種データ）
広角      中間      望遠
物体距離     300.0000  300.0000  300.0000
d6          37.2157   12.2474    1.0000 
d16          2.7701    5.9969    9.2987 
d18          4.1984    4.0492    2.0273 
d20          2.6249    3.0479    2.1000 
d22          1.6208   13.7824   33.2078 
d24         21.1821   20.6818   21.9756 
（数値実施例７）
データ２２（面データ）
面番号         r           d           nd         vd                
物面             ∞                                               
1        151.47430     2.40000     1.90366    31.3               
2         94.77890     8.97120     1.49700    81.6               
3      -1538.85890     0.20000                                   
4         95.54070     6.99620     1.43700    95.1               
5       1408.22310        可変                                   
6        188.36590     4.94190     2.00100    29.1               
7       -124.52190     1.80000     1.63854    55.4               
8         32.65720     6.62800                                   
9         34.39310     4.26250     1.67270    32.2               
10         88.69360     1.50000     1.80420    46.5               
11         47.88720     5.85180                                   
12        -53.88190     1.50000     1.90366    31.3               
13       -170.40170        可変                                   
14         58.97580     3.42830     1.80420    46.5               
15       1228.74110     0.10000                                   
16         34.41080     7.80050     1.49700    81.6               
17       -112.43160     6.00000     1.80420    46.5               
18         25.75760     4.77550                                   
19(絞り)           ∞     2.55860                                   
20         86.08400     1.20000     1.84666    23.8               
21         40.47930     5.00620     1.51680    64.2               
22       -104.27990     0.20000                                   
23         75.91980     3.04010     1.77250    49.6               
24       -228.76060     3.09380                                   
25        -38.78290     1.20000     1.51823    59.0               
26         31.40730     8.17840     1.59282    68.6               
27        -35.54840        可変                                   
28        116.99200     2.83470     1.92119    24.0               
29        -57.27040     0.70000     1.72342    38.0               
30         29.75650        可変                                   
31         47.66610     3.98820     1.49700    81.6               
32       -137.76780        可変                                   
33       -114.86890     1.30000     1.65844    50.9               
34        127.37720      BF                                       
像面             ∞                                               
データ２３（各種データ）
ズーム比     3.13642
広角      中間      望遠
焦点距離      61.8233  105.7396  193.9039
Ｆナンバー     2.91649   2.91649   2.91520
画角         9.9118    5.7838    3.1597
像高        10.8150   10.8150   10.8150
d5           0.6000   32.4503   62.7047 
d13         62.7047   30.8544    0.6000 
d27          7.9288    7.6226    2.0000 
d30         17.3141   15.7117   27.7502 
d32         12.0312   13.9398    7.5240 
ズームレンズ群データ
群    始面      焦点距離
1       1     160.75342
2       6     -55.86637
3      14      53.11418
4      28     -79.17536
5      31      71.76726
6      33     -91.53762
データ２４（近接物体合焦状態での各種データ）
ズーム比     3.13642
広角      中間      望遠
物体距離    1000.0000 1000.0000 1000.0000
d5           0.6000    32.4503    62.7047
d13         62.7047    30.8544     0.6000
d27          9.1620    11.2958    12.1220
d30         14.7987     8.8362     6.7701
d32         13.3133    17.1420    18.3820
以下の表１に、各数値実施例のズームレンズ系における各条件の対応値を示す。
【０１４１】
（条件の対応値）
【０１４２】
【表１】
0006586636.tif 000004
【産業上の利用可能性】
【０１４３】
本開示に係るズームレンズ系は、デジタルスチルカメラ、デジタルビデオカメラ、携帯電話機器のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラ等に適用可能であり、特にデジタルスチルカメラシステム、デジタルビデオカメラシステムといった高画質が要求される撮影光学系に好適である。
【０１４４】
また本開示に係るズームレンズ系は、本開示に係る交換レンズ装置の中でも、デジタルビデオカメラシステムに備えられる、ズームレンズ系をモータにより駆動する電動ズーム機能を搭載した交換レンズ装置に適用することが可能である。
【符号の説明】
【０１４５】
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
Ｇ７    第７レンズ群
Ｇ８    第８レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０    第１０レンズ素子
Ｌ１１    第１１レンズ素子
Ｌ１２    第１２レンズ素子
Ｌ１３    第１３レンズ素子
Ｌ１４    第１４レンズ素子
Ｌ１５    第１５レンズ素子
Ｌ１６    第１６レンズ素子
Ｌ１７    第１７レンズ素子
Ｌ１８    第１８レンズ素子
Ｌ１９    第１９レンズ素子
Ｌ２０    第２０レンズ素子
Ｌ２１    第２１レンズ素子
Ｌ２２    第２２レンズ素子
Ｌ２３    第２３レンズ素子
Ａ    開口絞り
ＶＡ    可変光線絞り
Ｓ    像面
１００    レンズ交換式デジタルカメラシステム
１０１    カメラ本体
１０２    撮像素子
１０３    液晶モニタ
１０４    カメラマウント部
２０１    交換レンズ装置
２０２    ズームレンズ系
２０３    鏡筒
２０４    レンズマウント部
【図１Ａ】
0006586636.tif 000005
【図１Ｂ】
0006586636.tif 000006
【図１Ｃ】
0006586636.tif 000007
【図２】
0006586636.tif 000008
【図３】
0006586636.tif 000009
【図４】
0006586636.tif 000010
【図５Ａ】
0006586636.tif 000011
【図５Ｂ】
0006586636.tif 000012
【図５Ｃ】
0006586636.tif 000013
【図６】
0006586636.tif 000014
【図７】
0006586636.tif 000015
【図８】
0006586636.tif 000016
【図９Ａ】
0006586636.tif 000017
【図９Ｂ】
0006586636.tif 000018
【図９Ｃ】
0006586636.tif 000019
【図１０】
0006586636.tif 000020
【図１１】
0006586636.tif 000021
【図１２】
0006586636.tif 000022
【図１３Ａ】
0006586636.tif 000023
【図１３Ｂ】
0006586636.tif 000024
【図１３Ｃ】
0006586636.tif 000025
【図１４】
0006586636.tif 000026
【図１５】
0006586636.tif 000027
【図１６】
0006586636.tif 000028
【図１７Ａ】
0006586636.tif 000029
【図１７Ｂ】
0006586636.tif 000030
【図１７Ｃ】
0006586636.tif 000031
【図１８】
0006586636.tif 000032
【図１９】
0006586636.tif 000033
【図２０Ａ】
0006586636.tif 000034
【図２０Ｂ】
0006586636.tif 000035
【図２０Ｃ】
0006586636.tif 000036
【図２１】
0006586636.tif 000037
【図２２】
0006586636.tif 000038
【図２３Ａ】
0006586636.tif 000039
【図２３Ｂ】
0006586636.tif 000040
【図２３Ｃ】
0006586636.tif 000041
【図２４】
0006586636.tif 000042
【図２５】
0006586636.tif 000043
【図２６】
0006586636.tif 000044
【図２７】
0006586636.tif 000045